(57)【要約】【目的】  メンテナンス作業を簡略化し、正確な施解錠情報のログを得る。【構成】  カード式電気錠１は、時間情報が重畳された標準電波を外部の送信所から所定間隔で受信し、この受信した標準電波に重畳される時間情報に基づいて内部時計１３を標準時間に自動修正する。錠前の施解錠にあたっては、カードに予め記憶された施解錠情報を読み取り、この読み取った施解錠情報の正当性を判別し、正常に認証したときのみ錠前を施解錠する。このとき、自動修正された時間によって錠前の施解錠情報のログが記憶手段２３に保存される。【選択図】    図１
2006207272.tif 000002
【特許請求の範囲】
【請求項１】
予めカードに記憶された施解錠情報の正当性を判別し、その判別結果に基づいて電気的に錠前を施解錠するカード式電気錠において、
時間情報が重畳された標準電波を外部の送信所から所定間隔で受信し、この受信した標準電波に重畳される時間情報に基づいて内部時計を前記標準時間に自動修正する時計管理部を備えたことを特徴とするカード式電気錠。
【請求項２】
前記内部時計の時間情報に基づいて前記錠前の施解錠時のログを記憶する記憶手段を備え、
電源がオンしたときに、前記内部時計を自動修正することを特徴とする請求項１記載のカード式電気錠。
【発明の詳細な説明】
【技術分野】
【０００１】
本発明は、錠前を施解錠するために必要な施解錠情報が予め記憶されたカードを用い、このカードに記憶された施解錠情報の正当性を判別し、この判別結果に基づいて錠前を施解錠するカード式電気錠であって、外部の送信所から受信する標準電波に基づいて内部時計を自動修正することにより正確な施解錠情報のログを得ることができるカード式電気錠に関するものである。
【背景技術】
【０００２】
近年、ホテルやオフィスビル等の商業施設や公共施設の入出口、集合住宅や一般住宅のエントランスや玄関等にはカード式電気錠が広く普及している。このカード式電気錠は、各所の電気錠毎に予め割り当てられた特定の暗号や施解錠情報等の各種データが記憶されたカードを用い、このカードに記憶されている各種データ（例えば特定の暗号による施解錠データ）を読み取り、読み取った各種データを予め登録された情報と照合して正当性を判別し、正常に認証した場合のみ施解錠を行うものである。
【０００３】
この種のカード式電気錠は、ピッキング等の不正な施解錠行為を防止し、且つ、鍵の複製が非常に困難なため、セキュリティー面において信頼されている。また、各カード毎の各種データをホストコンピューターで管理しているため、データ破損等の心配がなく、カードを紛失した場合においてもカードを再発行することが可能である。
【０００４】
そして、このようなカード式電気錠を用いたシステムとしては、例えば下記特許文献１に開示される出入管理システムが知られている。
【０００５】
特許文献１に開示される出入管理システム１０１は、図３に示すように、出入管理ゲートとしてのドア１０２と、ドア１０２に取り付けられた電気錠１０３と、ドア１０２を通過しようとする人の個人情報を識別する複数の個人識別装置として作用する複数の磁気カードリーダ１０４および１０５と、これら複数の磁気カードリーダ１０４および１０５に接続され、電気錠１０３を制御するカードコントローラ１０６とを備えて概略構成される。
【０００６】
カードコントローラ１０６は、電気錠１０３に接続された唯一の電気錠駆動部Ｋ（１０４，１０５）と、複数の磁気カードリーダ１０４および１０５のうちいずれかが識別した個人情報が、ドア１０３の通過を許可されている人の情報か否かを判定し、通過を許可されている人の情報であれば、電気錠駆動部Ｋ（１０４，１０５）に電気錠１０３を駆動する信号を発生させ、ドア１０３を開にする判定部１０７とを有している。また、カードコントローラ１０６には、管理ソフトウエアを搭載したコンピュータ１０８が通信ケーブル１０９を介して接続される。
【０００７】
また、上記のようなカード式電気錠の製造から使用可能に設定するまでの作業工程としては、まず、カード式電気錠の製造工場において製造されたカード式電気錠が出荷され、出荷された電気錠は、取付業者によって指定した設置場所に設置された後、電源をＯＮにする。
【０００８】
ここで、工事現場などで使用されるコンストラクションカードなどの電気錠の施解錠時における日時やカードの使用期限などの施解錠情報をカードに記録する場合、カード式電気錠の時間は製造された日時のままである。このため、専用の時間設定機により時間設定して時間合わせを行い、設定日時でカード式電気錠の使用を開始するため、ほぼ正確な施解錠情報のログ（例えば、施解錠日時など）を取得することができる。
【０００９】
これに対し、施解錠情報として、施解錠時の日時やカードの使用期限などをカードに記録しない場合は、専用の時間設定機を使用して時間設定を行わず、製造時に設定された日時のままカード式電気錠の使用が開始される。このため、正確な施解錠情報のログを取得することができなかった。
【特許文献１】特開２００１−２４１２２６号公報
【発明の開示】
【発明が解決しようとする課題】
【００１０】
上述したように、工場で製造されたままの状態でカード式電気錠を使用した場合は、カード式電気錠の内部時計の時間は製造時に設定された時間である。このため、正確な施解錠情報のログを取得することができなかった。その結果、例えば利用者の利用制限を行うための使用期限付きカードや利用者の施解錠履歴などの施解錠に関する正確な情報をカードに記録することができず、利便性や防犯性において問題があった。
【００１１】
これに対し、専用の時間設定機でカード式電気錠の日時を設定する場合では、カード式電気錠の使用日時に合わせて時間設定を行う。このため、カード式電気錠の内部時計をほぼ正確に設定することはできる。しかし、電気錠設置時に各電気錠ごとに一つ一つ時間設定を行わなければならず、電気錠の設置台数が多い場合には煩雑な設定作業を伴っていた。しかも、電気錠が設置された使用環境や電気錠の性能によって内部時計の時間が多少ずれる場合があるので、専用の時間設定機を用いて定期的（例えば１年や半年に１回など）に時間合わせや確認作業を行わなければならなかった。
【００１２】
そこで、本発明は上記問題点に鑑みてなされたものであり、メンテナンス作業を簡略化し、正確な施解錠情報のログを得ることができるカード式電気錠を提供することを目的とするものである。
【課題を解決するための手段】
【００１３】
上記した目的を達成するために、請求項１記載のカード式電気錠は、予めカードに記憶された施解錠情報の正当性を判別し、その判別結果に基づいて電気的に錠前を施解錠するカード式電気錠において、
時間情報が重畳された標準電波を外部の送信所から所定間隔で受信し、この受信した標準電波に重畳される時間情報に基づいて内部時計を前記標準時間に自動修正する時計管理部を備えたことを特徴とする。
【００１４】
請求項２記載のカード式電気錠は、請求項１記載のカード式電気錠において、
前記内部時計の時間情報に基づいて前記錠前の施解錠時のログを記憶する記憶手段を備え、
電源がオンしたときに、前記内部時計を自動修正することを特徴とする。
【発明の効果】
【００１５】
本発明のカード式電気錠によれば、時間情報が重畳された標準電波を外部の送信所から所定間隔で受信し、この受信した標準電波に基づいて内部時計を正確な時間に自動修正するので、正確な施解錠情報のログを取得でき、この正確なログによって例えば使用期限や施解錠状況などを管理することができる。
【００１６】
また、カード式電気錠の電源がＯＮすると、自動的に内部時計が正確な時間に修正されるので、従来のような専用の時間設定機を用いて各電気錠ごとに時間修正や確認作業などを行う手間が省け、メンテナンス作業を簡略化することができる。
【発明を実施するための最良の形態】
【００１７】
以下、本発明の実施の形態について、添付した図面を参照しながら具体的に説明する。図１は本発明に係るカード式電気錠の構成を示すシステムブロック図、図２は本発明に係るカード式電気錠の設置工程における一連の動作を示すフローチャート図である。
【００１８】
カード式電気錠は、錠前を施解錠するために必要な施解錠情報が予め記憶されたカードを用い、このカードに記憶された施解錠情報の正当性を判別し、この判別結果に基づいて錠前を施解錠するものである。そして、本例では、送信所からの時間情報を重畳した標準電波を所定間隔で受信し、この受信した標準電波に含まれる時間情報に基づいて内部時計の時間を自動修正する電波時計を採用することにより秒単位で正確な時間表示がなされるという利点を活用し、正確な施解錠情報のログ（錠前が施解錠された日時）を常時リアルタイムで管理することができるカード式電気錠を提供している。
【００１９】
以下、本例のカード式電気錠の構成について図１を参照しながら詳細に説明する。図１に示すように、カード式電気錠１は、時計管理部１０、施解錠制御部２０、駆動機構３０、電源部４０を備えて概略構成される。
【００２０】
時計管理部１０は、電波受信手段１１、時計データ制御手段１２、内部時計１３を備えた電波時計で構成される。電波時計としての時計管理部１０では、標準電波送信所から送信される時間情報（セシウム原子時計により得られる「時、分、通算日、年（西暦下２桁）、曜日、うるう秒情報、時と分に対応するパリティ、予備ビット、停波予告情報」といった情報が、モールス信号のような形で電波の断続によって時間を示す符号となったものを指す）を重畳した標準電波を、電波受信手段１１が所定間隔で受信して増幅を行い、この増幅した受信パルスを時計データ制御手段１２に送出している。時計データ制御手段１２では、電波受信手段１１からの時間信号の解読し、この解読された時計情報に基づいて内部時計１３の時間を自動的に修正している。
【００２１】
施解錠制御部２０は、不図示のカード発行器により発行されて利用者が所有する施解錠用カードから錠前を施解錠するために必要な施解錠情報を読み取り、この読み取った施解錠情報の正当性を判別し、その判別結果に基づいて錠前の施解錠制御を行っている。この施解錠制御部２０は、カード情報読取手段２１、電気錠制御手段２２、記憶手段２３、時計制御用通信手段２４、外部機器用通信手段２５を備えて構成される。
【００２２】
カード情報読取手段２１は、例えば磁気カード、ＩＣカード、非接触ＩＣチップ内蔵カードなどの各種施解錠用カードに記憶された施解錠情報を読み取るカードリーダで構成される。カード情報読取手段２１は、利用者の所定操作により施解錠用カードから錠前を施解錠するために必要な施解錠情報を読み取り、この読み取った施解錠情報を電気錠制御手段２２に出力している。
【００２３】
電気錠制御手段２２は、例えばＣＰＵなどのマイクロコンピュータなどで構成され、カード情報読取手段２１からの施解錠情報と、記憶手段２３に予め記憶された認証用施解錠情報とを照合してその正当性を判別し、正常に認証されたときのみ錠前を施解錠制御している。また、電気錠制御手段２２は、錠前の施解錠に関する施解錠情報の入出力制御の他、錠前の施解錠時に駆動機構３０を駆動させるための駆動制御信号の出力、電源部４０から駆動機構３０への電源供給の制御、錠前からモニタ情報として入力される状態信号（例えば、扉の開閉状態信号、錠前の施解錠状態信号）の判別処理などを行っている。
【００２４】
記憶手段２３は、例えば磁気的、光学的記憶媒体若しくはＲＯＭ、ＲＡＭなどの半導体メモリで構成される。この記憶手段２３は、カード式電気錠１を構成している各機器の機器情報、カード情報読取手段２１からの施解錠情報が錠前を施解錠する正当な情報であるか否かを判別するための認証用施解錠情報、モニタ情報としての状態信号（扉の開閉状態信号や錠前の施解錠状態信号）などの施解錠制御に関する各種データを記憶している。また、記憶手段２３は、内部時計１３の時間情報に基づく錠前の施解錠情報のログを保存する他、時計データ制御手段１２による内部時計１３の修正データを一時的に記憶したり、標準電波の更新履歴など時計管理部１０に関する各種情報も記憶している。
【００２５】
時計制御用通信手段２４は、例えば赤外線通信するための送受信部やケーブルなどを介して配線接続するためのコネクタなどを有している。この時計制御用通信手段２４は、時計管理部１０の故障や電波障害等に起因して標準電波が受信できない状態のときに、専用の時間設定機５０が接続可能とされ、時間設定機５０から内部時計１３の時間設定が行えるようになっている。
【００２６】
外部機器用通信手段２５は、例えば赤外線通信するための送受信部やケーブルなどを介して配線接続するためのコネクタなどを有している。この外部機器用通信手段２５は、例えば記憶手段２３に記憶された各種データや新たに記憶手段２３に記憶させたい情報などを外部機器（例えばパソコンや携帯型データ収録装置など）６０とデータ通信する際に使用される。
【００２７】
駆動機構３０は、例えばモータやソレノイドなどの駆動装置と錠前で構成され、電気錠制御手段２２から入力される駆動制御信号により錠前を施錠または解錠するべく駆動し、扉枠の係止穴に対してデッドボルトを突出（施錠時）又は引き込む（解錠時）ことにより錠前が施解錠される。
【００２８】
電源部４０は、例えば商用電源（ＡＣ１００Ｖ）である外部電源で構成され通電金具を介してカード式電気錠１を構成する各部に電源を供給する。また、電源部４０は、錠前やエスカチオン（化粧板）の内部に着脱可能に設けられる電池で構成し、この電池からカード式電気錠１を構成する各部に電源を供給することもできる。
【００２９】
次に、上記構成によるカード式電気錠１の設置工程における一連の動作について図２を参照しながら具体的に説明する。
【００３０】
製造工場において製造されたカード式電気錠１が出荷されると（ＳＴ１）、出荷されたカード式電気錠１は、取付業者によって指定された設置場所に設置される（ＳＴ２）。そして、カード式電気錠１の設置後に電源をＯＮすると（ＳＴ３）、電波受信手段１１は、時間情報が重畳された標準電波を標準電波送信所から受信する（ＳＴ４）。そして、この受信した時間情報に基づいて内部時計１３を自動修正する（ＳＴ５）。すなわち、カード式電気錠１は、電源がＯＮされた後、時間情報が重畳された標準電波を標準電波送信所から所定間隔で受信し、この受信した時間情報を基づいて、その都度内部時計１３の時間修正を行う。これにより、内部時計１３が正確な時間に修正され、この修正された時間情報に基づいて正確な施解錠情報のログ（錠前が施解錠された日時）を取得することができる。このときの施解錠情報のログは記憶手段２３に保存される。
【００３１】
このように、本例のカード式電気錠１では、時間情報が重畳された標準電波を外部の標準電波送信所から受信し、この受信した標準電波に基づいて内部時計１３の時間を自動的に修正する時計管理部１０を備えている。これにより、リアルタイムで使用期限付きカードや記憶手段２３に記録する施解錠情報のログを管理でき、防犯性と信頼性に優れたカード式電気錠１を提供することができる。
【００３２】
そして、本例のカード式電気錠１では、標準電波送信所からの標準電波により内部時計１３の時間が自動修正されるので、例えば工事中でも正確な施解錠情報のログを記録でき、例えば施解錠情報のログに基づいて工事中の盗難事件を追跡調査することができる。
【００３３】
また、受信した標準電波に基づく時間修正により内部時計１３が正確な時を刻むので、例えばコンストラクションカードに有効期限を付加することができる。具体的には、有効期限がなく何時までも使えた工事用カードに有効期限を付加でき、不特定多数が出入りする建設現場でもセキュリティーを保つことができる。
【００３４】
さらに、時計管理部１０は、カード式電気錠１の電源がＯＮすると、標準電波送信所からの標準電波を受信し、この標準時間に基づいて内部時計１３を正確な時間に自動修正しており、電源がＯＮした後は所定間隔で内部時計１３の時間を自動修正するので、従来のような専用の時間設定機による各電気錠ごとの時間修正や確認作業などを行う手間が省け、メンテナンス作業を簡略化することができる。
【００３５】
以上、本発明の最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００３６】
【図１】本発明に係るカード式電気錠の構成を示すシステムブロック図である。
【図２】本発明に係るカード式電気錠の設置工程における一連の動作を示すフローチャート図である。
【図３】従来のカード式電気錠を採用したカードロックシステムの概略構成を示すシステム構成図である。
【符号の説明】
【００３７】
１  カード式電気錠
１０  時計管理部
１１  電波受信手段
１２  時計データ制御手段
１３  内部時計
２０  施解錠制御部
２１  カード情報読取手段
２２  電気錠制御手段
２３  記憶手段
２４  時計制御用通信手段
２５  外部機器用通信手段
３０  駆動機構
４０  電源部
【図１】
2006207272.tif 000003
【図２】
2006207272.tif 000004
【図３】
2006207272.tif 000005